(57)【要約】      （修正有）【課題】ベッド状に形成した椅子に背凭れを取付け、該椅子全体を傾斜可能となし、また、椅子の部分のみを前後動させるようにして、仰臥状態の被洗髪者の首後ろ部をシャンプーボールの首受け部にフィットした状態に設定することができるようにした理美容用椅子を提供すること。【解決手段】床面に設置される脚体１０と、該脚体１０に対して座部１および背凭れ１５をスイングさせるスイング手段と、前記脚体１０に対して椅子のみを前後移動させるためのスライド手段とより構成した。【選択図】図４
2006061522.tif 000002
【特許請求の範囲】
【請求項１】
床面に設置される脚体と、該脚体に対して座部本体および背凭れをスイングさせるスイング手段と、前記脚体に対して座部本体を前後移動させるためのスライド手段とより構成したことを特徴とする理美容用椅子。
【請求項２】
前記座部本体を、被洗髪者が仰臥した状態において膝裏部分が高く、腰部分が低くなるようなベッド状に形成したことを特徴とする請求項１記載の理美容用椅子。
【請求項３】
前記座部本体の後方にランパーサポートを回動自在に取付けたことを特徴とする請求項２記載の理美容用椅子。
【請求項４】
座部本体の座部基板の裏面に取付けられたスライドレールと、該スライドレールをガイドするローラと、該ローラが取付けられた枠体と、該枠体に取付けられたスライド用モータと、該スライド用モータによって回転するスライド用ネジシャフトと、該スライド用シャフトの先端に螺合されるナットを有し前記スライドレールに取付けられたネジ受け板と、床面に設置される脚体に回動自在に取付けられたスイング用モータと、該スイング用モータによって回転すし先端が前記枠体に軸支されたスイング用ネジシャフトと、前記枠体に形成された湾曲状のガイド孔に挿入されたローラが取付けられた前記脚体側に固定されたローラ支持板と、前記枠体に取付けられた背凭れとより構成したことを特徴とする理美容用椅子。
【請求項５】
前記座部本体の後方における前記背凭れとの間に位置させてランバーサポートを回転自在に取付けたことを特徴とする請求項４記載の理美容用椅子。
【発明の詳細な説明】
【技術分野】
【０００１】
本発明は理美容院における洗髪、特に、バックシャンプーと呼ばれる被洗髪者を椅子に仰向け状態で寝かせた状態で、椅子を傾斜させたり前後動させることで、前記被洗髪者の首後ろ部を椅子の背面側に設置されているシャンプーボールの首受け部に乗せて洗髪を行なうための理美容用椅子に関する。
【背景技術】
【０００２】
従来におけるこの種の理美容用椅子としては、例えば、特開２００１−２３１６５２号公報に開示されている技術がある。この技術における１つの実施例は座部が座部基台に対して前後方向にスライド可能に構成され、かつ、背凭れは座部基台に固定されシャンプーボールに近接して固定配置されたものであり、他の実施例は座部が固定されて配置され、かつ、背凭れが起伏可能に形成されたものである。そして、洗髪時に座部を前方に移動させ、あるいは、背凭れのみを伏倒させて被施術者が仰向けの施術姿勢とするものである。
【特許文献１】特開２００１−２３１６５２号公報
【発明の開示】
【発明が解決しようとする課題】
【０００３】
ところで、前記した従来例にあっては、１つの実施例は被洗髪者が腰を前方に移動することで座部を前方に移動させるものであるため、意図しないで座部が後方に移動してしまい、また、被洗髪者が着座した状態において頭部に近接してシャンプーボールが位置しているために、パーマやヘアダイの施術においてシャンプーボールが邪魔になるといった問題があった。
【０００４】
また、他の実施例は背凭れの伏倒は可能であるが座部の前後動が行なわれないため、被洗髪者の身長さを十分に吸収することができず、身長の高いあるいは低い被洗髪者の場合に、首後ろ部がシャンプーボールの凹部から飛び出たり、凹部までとどかない場合があって、洗髪作業に適さないといった問題があった。
【０００５】
本発明は前記した問題点を解決せんとするもので、その目的とするところは、ベッド状に形成した椅子に背凭れを取付け、該椅子全体を傾斜可能となし、また、椅子の部分のみを前後動させるようにして、仰臥状態の被洗髪者の首後ろ部をシャンプーボールの首受け部にフィットした状態に設定することができるようにした理美容用椅子を提供せんとするにある。
【課題を解決するための手段】
【０００６】
本発明の理美容用椅子は前記した目的を達成せんとするもので、請求項１の手段は、床面に設置される脚体と、該脚体に対して座部本体および背凭れをスイングさせるスイング手段と、前記脚体に対して椅子本体を前後移動させるためのスライド手段とより構成したものである。
【０００７】
請求項２の手段は、前記した請求項１において、前記座部本体を、被洗髪者が仰臥した状態において膝裏部分が高く、腰部分が低くなるようなベッド状に形成したものである。
【０００８】
請求項３の手段は、前記した請求項１において、前記座部本体の後方における前記背凭れとの間に位置させてランバーサポートを回転自在に取付けたものである。
【０００９】
請求項４の手段は、座部本体の座部基板の裏面に取付けられたスライドレールと、該スライドレールをガイドするローラと、該ローラが取付けられた枠体と、該枠体に取付けられたスライド用モータと、該スライド用モータによって回転するスライド用ネジシャフトと、該スライド用シャフトの先端に螺合されるナットを有し前記スライドレールに取付けられたネジ受け板と、床面に設置される脚体に回動自在に取付けられたスイング用モータと、該スイング用モータによって回転すし先端が前記枠体に軸支されたスイング用ネジシャフトと、前記枠体に形成された湾曲状のガイド孔に挿入されたローラが取付けられた前記脚体側に固定されたローラ支持板と、前記枠体に取付けられた背凭れとより構成したものである。
【００１０】
請求項５の手段は、前記した請求項１において、前記座部本体の後方における前記背凭れとの間に位置させてランバーサポートを回転自在に取付けたものである。
【発明の効果】
【００１１】
本発明は前記したように、床面に設置される脚体に対して座部および背凭れをスイングさせ、かつ、前記脚体に対して椅子のみを前後移動させるようにしたので、被洗髪者の座高の高低に関わらず首後ろ部をシャンプーボールの首受け部にフィットした状態で乗せることができ、従って、長時間の洗髪にも苦痛を与えることがない。
【００１２】
また、座部本体を被洗髪者が仰臥した状態において膝裏部分が高く、腰部分が低くなるようなベッド状に形成することで、被洗髪者は安楽な状態で、かつ、安定した状態で洗髪を受けることができ、また、前記座部本体の後方における前記背凭れとの間に位置させてランバーサポートを回転自在に取付けることで、座部本体をスイングした状態であっても、腰の部分をランバーサポートがサポートすることから、如何なる姿勢であっても安楽な状態で洗髪を受けることができる等の効果を有するものである。
【発明を実施するための最良の形態】
【００１３】
本発明は、床面に設置される脚体に対して座部本体および背凭れを一緒にスイングさせ、また、座部本体を脚体に対して前後移動させるようにしたものである。
【実施例１】
【００１４】
以下、本発明に係る理美容用椅子Ａの実施例を図面と共に説明する。
１はベッド状に形成された座部本体にして、該座部本体１内に配置された座部基板２の後方（座部本体１に被洗髪者が着座した状態において背中側）には、該座部基板２の両側に起立板２ａが固定されている。そして、この起立板２ａ間にはランパーサボート２３回転自在に軸支されている。なお、このランバーサポート３は図示しない巻きバネが巻回されており、常時は図１、図４に示すような略起立状態となるようにバネ付勢されている。
【００１５】
次に、座部本体１を前後動させ、該座部本体１と後述する背凭れ１５をスイング（チルト）させるための駆動機構Ｂの詳細を図４以降の図面と共に説明するに、４は座部基板２の裏面側に固定された左右一対のガイドレール、５は前記ガイドレール４にガイドされるローラ５ａが両側面に各一対取付けられたローラ取付板にして、該ローラ取付板５には枠体６が取付られている。この枠体６の前方（座部本体１に被洗髪者が着座した状態において足側）には減速機７ａが取付けられたスライド用モータ７が取付けられ、前記減速機７ａにはスライド用ネジシャフト８が螺合されている。
【００１６】
９は前記座部基板２の裏面にスライドレール４を介して固定されたネジ受け板にして、該ネジ受け板９には前記スライド用ネジシャフト８の先端が螺合される図示しないナットが固定されている。従って、スライド用モータ７が回転するとスライド用ネジシャフト８が減速回転されて、該スライド用ネジシャフト８が螺合されているネジ受け板９を前後方向に移動させる。これにより、座部基板２が前後方向に移動されるので、座部本体１は前後方向に移動することとなる。
【００１７】
１０は床面に設置される左右一対のパイプで構成された脚体にして、該脚体１０には前記枠体６の両側に形成された円弧状のガイド孔６ａにガイドされるそれぞれ一対のローラ１１ａが取付けられたローラ支持板１１が固定されている。１２は前記ローラ支持板１１から起立されたブラケット１１ｂにスイング用ネジシャフト１２が回動自在に軸支されている。
【００１８】
１３は前記スイング用ネジシャフト１２に減速機１３ａが螺合されたスイング用モータにして、前記減速機１３ａの先端は前記枠体６の取付金具６ｂに回動自在に取付けられている。従って、前記スイング用モータ１３が回転するとスイング用ネジシャフト１２が減速回転されて、減速機１３ａが前後方向に移動すると、該減速機１３ａが取付けられている枠体６がローラ１１ａに対してガイド孔６ａに沿って円弧移動する。これにより、スライド機構部を介して取付けられている座部本体がスイング（チルト）動作することになる。
【００１９】
１４は前記枠体６に一端が固定された湾曲して先端が前記ランバーサポート３より上方に位置する背凭れパイプにして、上端には背凭れ１５が回動自在に取付けられている。なお、このランバーサポート３には図示しない巻きバネが巻回されており、常時は図４に示すような略起立状態となるようにバネ付勢されている。
【００２０】
１６は枠体６側に取付けられたスライド用ポテンショメータにして、一端が該スライド用ポテンショメータ１６の摘みに接続され、他端がローラ支持板１１に回動自在に取付けられた２枚の板からなるリンク機構１７によって、座部基板２の移動量を抵抗値変化として検出する。また、１８は枠体６側に取付けられたスイング用ポテンショメータにして、一端が該スイング用ポテンショメータの摘みに接続され、他端がローラ支持板１１に回動自在に取付けられた２枚の板からなるリンク機構１９によって、枠体６のスイング量を抵抗値変化として検出する。
【００２１】
なお、２０は図示しないコントローラらかの指令により前記２つのモータ７，１２の駆動制御を行う制御基板にして、具体的には、コントローラが操作されるとモータ７，１２に通電を行い、前記２つのポテンショメータ１６，１８が予め設定した所定の抵抗値になると前記モータ７，１２の通電を遮断するなどの制御を行う。また、Ａは公知のシャンプーボール装置にして、本発明の理美容用椅子Ａの背凭れ１５側に配置されている。
【００２２】
次に、前記した構成に基づいて動作を初期状態、すなわち、被洗髪者を本発明理美容用椅子Ａに導入して洗髪を行う動作について説明する。
先ず、初期状態においては図１に示すように、座部本体１は前後方向における最後方に位置し、かつ、足側である前方がやや高くなる略水平状態となっている。すなわち、枠体６はガイドレール４の最前方位置にあり、かつ、ローラ支持板１１のローラ１１ａに対して枠体６に形成されているガイド孔６ａは最後方位置にある。
【００２３】
この状態において、着座した被施術者の座高が高いため、該被洗髪者の首後ろ部がシャンプーボールＣの首受け部Ｃ１よりボールの中心側に位置する場合には、座部本体１を図２に示すように前方を高く後方を低くするスイング（チルト）動作をさせる必要がある。
【００２４】
そこで、スイング用モータ１３を駆動してスイング用ネジシャフト１２が減速回転されて、減速機１３ａが前方に移動する。すると、該減速機１３ａが取付けられている取付金具６ｂを介して枠体６を前方に引っ張るので、該枠体６は脚体１０側に取付けられたローラ１１ａにガイドされる湾曲したガイド孔６ａの湾曲に沿ってスイング（チルト）することとなる。このように、座部本体１の前方が高く、背凭れ１５側が低い状態となることで、座高の高い被施術者であっても、首後ろ部がシャンプーボールＣの首受け部Ｃ１に一致した状態となってフィット感が得られるようになる。
【００２５】
なお、前記した状態においては、枠体６がスイングすることで、該枠体６に背凭れパイプ１４を介して取付けられている背凭れ１５もスイング状態となる。なお、この状態において、被洗髪者の背中は背凭れ１５とランパーサポート３の両方で支持された状態となっている。
【００２６】
前記した座部本体１をスイングさせたのみでは、被洗髪者の首後ろ部がシャンプーボールＣの首受け部Ｃ１と一致しない場合には、図３に示すように、座部本体１を前方に移動させる必要がある。そこで、スライド用モータ７を駆動すると減速機７ａを介してスライド用ネジシャフト８が回転して、枠体６に取付けられているローラ５ａに対してネジ受け板９を介してスライドレール４を介して座部基板２を前方に移動させるので、座部本体１は前方に移動することとなる。
【００２７】
前記した座部本体１を前方に移動することで、背凭れ１５と座部本体１との間に隙間が発生するが、座部本体１の後方に設けられているランパーサポート１３が座部本体１と背凭れ１５との隙間をなくし、かつ、ランパーサポート１３は回動自在であることから、被洗髪者の腰部分をサポートする状態となって安楽な姿勢で洗髪を受けさせることが可能となる。
【００２８】
なお、前記した実施例にあっては、座部本体１をベッド状としたものを示したが、座部本体１は従来の理美容用椅子のように座部と前垂れとより構成し、該前垂れが伏倒可能としたものであってもよい。
【図面の簡単な説明】
【００２９】
【図１】本発明に係る理美容用椅子の実施例を示す初期位置の側面図である。
【図２】同上のスイングした状態を示す側面図である。
【図３】同上のスイングした状態からさらに前方に移動した状態を示す側面図である。
【図４】図１の要部の断面図である。
【図５】要部の拡大断面図である。
【図６】同上の底面図である。
【符号の説明】
【００３０】
Ａ          理美容用椅子
Ｂ          駆動機構
Ｃ          シャンプーボール
１          座部本体
２          座部基板
３          ランバーサポート
４          スライドレール
５ａ        ローラ
６          枠体
７          スライド用モータ
８          スライド用ネジシャフト
９          ネジ受け板
１０        脚体
１１        ローラ支持板
１１ａ      ローラ
１２        スイング用ネジシャフト
１３        スイング用モータ
１４        背凭れパイプ
１５        背凭れ
【図１】
2006061522.tif 000003
【図２】
2006061522.tif 000004
【図３】
2006061522.tif 000005
【図４】
2006061522.tif 000006
【図５】
2006061522.tif 000007
【図６】
2006061522.tif 000008